(57)【特許請求の範囲】
【請求項１】
第１の無線通信モジュールと、
前記第１の無線通信モジュールと異なる第２の無線通信モジュールと、
前記第１の無線通信モジュールと接続され、第１の無線通信信号の送受信に用いられる第１のアンテナと、
前記第２の無線通信モジュールと接続され、第２の無線通信信号の送受信に用いられる第２のアンテナと、
前記第２の無線通信モジュールと接続され、第２の無線通信信号の受信に用いられる第３のアンテナと、
前記第２のアンテナで受信した前記第２の無線通信信号以外の信号の利得と、前記第３のアンテナで受信した前記第２の無線通信信号以外の信号の利得と、を比較し、
前記第２のアンテナ又は前記第３のアンテナにおいて、前記第２の無線通信信号以外の信号の利得が少ないいずれか一方のアンテナを用いて前記第２の無線通信信号の受信をさせる制御手段と、を備えることを特徴とする電子機器。
【請求項２】
前記第２のアンテナを介して受信した無線通信信号から得られる前記第１の無線通信信号の利得と、前記第３のアンテナを介して受信した無線通信信号から得られる前記第１の無線通信信号の利得と、を記憶する記憶手段を備えることを特徴とする請求項１記載の電子機器。
【発明の詳細な説明】
【０００１】
【発明の属する技術分野】
本発明は、無線通信手段を有する電子機器に関し、とくに無線通信手段の制御方法に関する。
【０００２】
【従来の技術】
近年、パーソナルコンピュータ（以後、パソコンと称す）では、ネットワーク環境の発展に伴い、無線通信によるデータ通信や、ネットワークの構築など発展が目覚しい。
【０００３】
特に、有線ＬＡＮに取って代わる無線ＬＡＮや、近距離無線通信の技術であるブルートゥース技術を搭載したパソコンが実現されている。
【０００４】
パソコン等の情報処理装置に内蔵された無線通信デバイスでは、より電波を効率的に伝播させるために専用のアンテナが設けられている。
【０００５】
特に近年、有線ＬＡＮに置き換わるネットワークとして、無線ＬＡＮが普及してきており、またパソコンと周辺デバイスとの接続インターフェースとしてブルートゥース（Ｂｌｕｅｔｏｏｔｈ、以後ＢＴと称す）が普及しつつある。
【０００６】
このような無線ＬＡＮとＢＴとを一台のパソコンに搭載しているものも普及しており、このような機種では無線ＬＡＮのアンテナはダイバシティ方式で２つのアンテナが配置されており、ＢＴのアンテナは単一のアンテナが用いられている。
【０００７】
【発明が解決しようとする課題】
上記、従来技術では、無線ＬＡＮとＢＴとを同時に使用した場合、お互いに同一周波数の電波帯域を使う場合や、高調波成分をもつ信号である場合に、互いに干渉しあい、受信データにノイズが加わり、データの信頼性が低下したり、エラーレートが高くなると言った問題があった。
【０００８】
【課題を解決するための手段】
上記目的を達成するために、請求項１に係る発明では、第１の無線通信モジュールと、前記第１の無線通信モジュールと異なる第２の無線通信モジュールと、前記第１の無線通信モジュールと接続され、第１の無線通信信号の送受信に用いられる第１のアンテナと、前記第２の無線通信モジュールと接続され、第２の無線通信信号の送受信に用いられる第２のアンテナと、前記第２の無線通信モジュールと接続され、第２の無線通信信号の受信に用いられる第３のアンテナと、前記第２のアンテナで受信した前記第２の無線通信信号以外の信号の利得と、前記第３のアンテナで受信した前記第２の無線通信信号以外の信号の利得と、を比較し、前記第２のアンテナ又は前記第３のアンテナにおいて、前記第２の無線通信信号以外の信号の利得が少ないいずれか一方のアンテナを用いて前記第２の無線通信信号の受信をさせる制御手段と、を備えることを特徴とする。
【０００９】
しかし、上記従来技術では、他の無線通信デバイスを使用しているか否かに応じて、出力電力を制御しており、一方の無線通信手段が使用中ということのみで、他方の無線通信手段の制御を判断しており、送受信の柔軟な制御を行うことができないと言う問題があった。
【００１０】
上記課題を解決するために、本発明では、複数の無線通信手段を有する電子機器において、夫々の無線通信手段で送受信されるデータの干渉を低下させデータの信頼性を高めることが可能な電子機器及び通信制御方法を提供することを目的とする。
【００１１】
【課題を解決するための手段】
上記目的を達成するために、請求項１に係る発明では、第１の無線通信手段と、前記第１の無線通信手段と異なる第２の無線通信手段と、前記第１の無線通信手段と接続される第１のアンテナと、前記第２の無線通信手段と接続され、前記第１のアンテナと第１の距離を設けて配置される第２のアンテナと、前記第２の無線通信手段と接続され、前記第１のアンテナと前記第1の距離より短い第２の距離を設けて配置される第３のアンテナと、前記第１及び第２の無線通信手段により無線通信が行われる場合に、前記第１の無線通信手段は第１のアンテナを用いて無線通信を行い、前記第２の無線通信手段は前記第２のアンテナのみを用いて無線通信が行われることを特徴とする。
【００１４】
このような構成により、複数の無線通信手段を有する電子機器において、夫々の無線通信手段で送受信されるデータの干渉を低下させデータの信頼性を高めることが可能な電子機器を提供することが可能となる。
【００１９】
【発明の実施の形態】
以下本発明に係る実施形態を、図面を参照して説明する。
【００２０】
図１に第１の実施形態にかかる電子機器のハードウェア構成図を示す。
【００２１】
本実施形態では、電子機器の例として、ノート型のパソコンを例に説明するがこれに限られるものではない。
【００２２】
この、パソコン１は、ＩＥＥＥ８０２．１１ｂ方式の無線通信と、Ｂｌｕｅｔｏｏｔｈ（以下、ＢＴと称す）による無線通信を行なうことが可能な電子機器である。
【００２３】
ＩＥＥＥ８０２．１１ｂ方式（以後、無線ＬＡＮと称す）では、２．４ＧＨｚ帯（２．４０００〜２．４８３５ＧＨｚ）のＩＳＭ（Industry Science Medical）バンドを使用する無線通信規格の一つであり、スペクトラム拡散方式として、直接拡散方式（ＤＳＳＳ：Ｄｉｒｅｃｔ  Ｓｅｑｕｅｎｃｅ  Ｓｐｒｅａｄ  Ｓｐｅｃｔｒｕｍ）を用い、最大１１Ｍｂｐｓの通信速度で通信することが可能である。この、無線ＬＡＮでは、この２．４ＧＨｚ帯を１４チャネルに分割し（国によって異なる）、この１４チャネルのうちのいずれかのチャネルを設定し通信を行う。このチャネルの占有帯域は、中心周波数から±１１ＭＨｚの２２ＭＨｚであるため、隣接するチャネルに干渉を与えることになるため、通常は、チャネルの間隔を２５ＭＨｚ以上離れた周波数に設定して利用する。また、無線LANはCSMA/CA（Carrier  Sense  Multiple  Access  ｗｉｔｈ  Ｃｏｌｌｉｓｉｏｎ  Avoidance）方式を採用しているため、ネットワーク上にほかのキャリアがあるか否かを確認して誰も通信していなければ自分が通信すると言う手順で送信競合を回避する。よって、他のキャリアがある場合は、送信を待つことになる。
【００２４】
ＢＴは、短距離の無線通信規格であり、２．４ＧＨｚ帯（２．４０００〜２．４８３５ＧＨｚ）のＩＳＭ（Industry Science Medical）バンドを用いて１０ｍ以内（最大１００ｍ）の無線通信を実現するものである。Ｂｌｕｅｔｏｔｈでは、スペクトラム拡散方式として周波数ホッピング方式（ＦＨＳＳ：Ｆｒｅｑｕｅｎｃｙ  Ｈｏｐｐｉｎｇ  Ｓｐｒｅａｄ  Ｓｐｅｃｔｒｕｍ）を用い、最大１Ｍｂｐｓの通信速度で、最大８台までの機器を時分割多重方式によって一つのグループ（ピコネット）として接続することが可能である。ＢＴは、２．４GHz帯の周波数を周波数帯域幅１MHｚの７９個のチャネルに分け、通信チャネルを１秒間に１６００回切替えて通信を行う。このチャネルはランダムに選択されるため、特定の周波数に依存することは無く、秘匿性に優れていると言われている。また、BTは送信出力により３つのクラス（クラス１〜３）に分けられている。クラス１では、最大で２０ｄBｍの出力、クラス２では、最大４ｄBmの出力、クラス３では、最大０ｄBmの出力というように規定されている。
【００２５】
パソコン１本体内は、通常のパソコン１が動作するのに必要なデバイスにより構成している。このパソコン１の制御を司るCＰＵ３と第１のブリッジ回路４とは６４ビット幅のデータバスを有するＣＰＵローカルバスによって接続しており、第１のブリッジ回路４とメインメモリ５との接続はメモリバスを介して接続している。第１のブリッジ回路４と第２のブリッジ回路６とは、３２ビット幅のデータバスを有する高速バス７によって接続している。高速バス７には、IＥＥＥ８０２．１１ｂ方式に準じた無線信号の変復調処理を行なう無線ＬＡＮモジュール８が接続されている。また、第２のブリッジ回路７には、ＵＳＢ（Ｕｎｉｖｅｒｓａｌ  Ｓｅｒｉａｌ  Ｂｕｓ）９を介してＢＴモジュール１０が接続している。また、第２のブリッジ回路７から延出されている低速バスに１１は、ＢＩＯＳ−ＲＯＭ１２が接続されている。
【００２６】
ＣＰＵ３は、ＰＣ全体の動作制御およびデータ処理等を実行するものである。
【００２７】
メインメモリ５は、オペレーティングシステム１３、ＢＩＯＳプログラム１４、実行対象のアプリケーションプログラム１５、および処理データなどを格納するメモリデバイスであり、複数のＤＲＡＭなどによって構成されている。
【００２８】
第１のブリッジ回路４は、ＣＰＵローカルバスと高速バス７との間を繋ぐブリッジＬＳＩであり、高速バス７のバスマスタデバイスの１つとして機能する。この第１のブリッジ回路４は、ＣＰＵローカルバスと高速バス７との間で、データ及びアドレスを含むバス幅を変換する機能、及びメモリバスを介してメインメモリ５のアクセス制御を行なう機能などを有している。
【００２９】
高速バス７はクロック同期型の入出力バスであり、高速バス７上の全てのサイクルは、高速バスクロックに同期して行う。この高速バス７は、時分割的に使用されるアドレス／データバスを有している。
【００３０】
高速バス７には、無線ＬＡＮモジュール８が接続されており、この無線ＬＡＮモジュール８は、ＩＥＥＥ８０２．１１ｂに準拠した無線データの信号変復調処理を行なうものであり、ダイバシティ信方式に対応したものである。また、無線ＬＡＮモジュール８には同軸ケーブルを介して、無線信号送受信のインターフェースとなるダイバシティアンテナ１６、１７が接続されている。
【００３１】
ダイバシティ方式では、片方のアンテナは送受信とも行なうアンテナ（メインアンテナ）であり、もう片方のアンテナは、受信のみを行なうアンテナ（サブアンテナ）である。通常、データ送信時はメインアンテナを使用し、受信の際は、メインアンテナ、若しくはサブアンテナのどちらか受信レベルが高い方を切換えながら使用し、受信電波のレベル変動を極力少なくするものである。本例では、メインアンテナをダイバシティアンテナ１６とし、サブアンテナをダイバシティアンテナ１７とするが、これは逆の場合でもかまわない。
【００３２】
第２のブリッジ回路６は、高速バス７と低速バス１１との間を繋ぐブリッジＬＳＩであり、高速バス７と低速バス１１との間のバス変換等を行う。また、ＵＳＢコントローラ１８が組み込まれている。ＵＳＢコントローラ１８はシリアルデータ転送を制御するためのものであり、ＵＳＢ１１を介して接続するＢＴモジュール１０との信号送受信の制御を行なう。
【００３３】
ＢＴモジュール１０は、ＢＴの通信方式に準拠したデータ変調、復調及び、周波数ホッピング制御等を行なう。また、ＢＴモジュール１０には同軸ケーブルを介して、無線信号送受信のインターフェースとなるアンテナ１９が接続している。
【００３４】
上記システム構成により、外部の無線通信機器との間で、ＢＴ若しくはＩＥＥＥ８０２．１１ｂに準拠した無線通信を行なうことが可能である。また、本実施形態では、ダイバシティアンテナ１６、１７及びアンテナ１９には逆Ｆアンテナを用いる。逆Ｆアンテナとは、天板に用いられる金属板の共振を利用した板状アンテナである。
【００３５】
低速バス１１には、ＢＩＯＳ−ＲＯＭ１２に接続されている。
【００３６】
ＢＩＯＳ―ＲＯＭ１２は、パソコン内の各種ハードウェアをアクセスするファンクション実行ルーチンを体系化したプログラムであり、プログラムが書き換え可能なようにフラッシュＲＯＭにより構成されている。パソコン１の起動時に、各種ハードウェアの初期化を行ったり、ＯＳ実行中にも各種ハードウェアへの入出力制御を行う。パソコン１の起動時に、一部のＢＩＯＳプログラムはメインメモリ５へコピーされ、パソコン１の入出力制御を行う。
【００３７】
また、無線ＬＡＮモジュール８とＢＴモジュール１０との間には、制御部２０が接続されている。制御部２０は、夫々の出力パワーを監視したり、無線ＬＡＮモジュール８の出力パワー制御およびタイミング制御と、ＢＴモジュール１０の出力パワー制御およびタイミング制御を行う。
【００３８】
次に、図２に、上述したパソコンの外観の斜視図を示す。
【００３９】
パソコン１は、本体ケース２１と表示部ケース２２とＬＣＤパネル２３とキーボード２４とを有する。本体ケース２１はその上面部にキーボード２４を配設している。本体ケース２１と表示部ケース２２とは、ヒンジ部２５により回動可能に接続している。表示部ケース２２は、ＬＣＤパネル２３の表示領域が可視状態となるようＬＣＤパネル２３の周辺部を支持している。表示部ケース２２はヒンジ部２５を介して矢印Ａ−Ｂ方向に回動可能であり、キーボード２４を覆う閉位置とキーボード２４を使用可能な状態にする開位置との間で回動可能である。
【００４０】
また、ラッチ２６は、表示部ケース２２を矢印A方向に回動させた場合に、本体ケース２１に設けた係合穴２７に係合し、本体ケース２１と表示部ケース２２とをロックするものである。
【００４１】
また、表示部ケース２２のＬＣＤパネル２３を支持している上辺部には無線ＬＡＮ（ＩＥＥＥ８０２．１１）で使用するダイバシティアンテナ（メインアンテナ１６、サブアンテナ１７）と、ＢＴで使用するアンテナ１６とが設けられている。
【００４２】
無線アンテナは、その受信感度を良くするため、高位置に設けるのが理想である。そのため、ＰＣ１を使用する状況を考慮して、使用時に高い位置となる表示部ケース２２の上部に、ダイバシティアンテナ１６、１７およびアンテナ１９とを設けている。
【００４３】
各アンテナは、同軸ケーブル（図中、点線で示す）により、ＬＣＤパネル２３の背面を通り、ヒンジ部２５を介して、本体ケース２１内の回路基板（図示せず）に設けられた無線ＬＡＮモジュー８およびＢＴモジュール１０と夫々接続されている。ダイバシティ方式で用いるダイバシティアンテナ１６、１７は、その二つのアンテナの配置感覚が、３／４λ（λ：波長）以上の間隔を置くことが一般的であり、本実施形態でも、ダイバシティアンテナ１６と１７との距離は、３／４λ以上離して配置されている。
【００４４】
このような配置にした場合、無線LANで使用されるダイバシティアンテナ１６、１７と、BTのアンテナ１９とが近接した位置に配置されることになる。また、無線LANとBTとは同一の周波数帯を使用するために、互いの電波が干渉することが多くなり、データの送受信エラーが生じる可能性がある。よって、第１の実施形態では、BTによるデータの送受信が行われている場合には、無線ＬＡＮで使用されるダイバシティアンテナ１６、１７のうち、BTのアンテナ１９近い方のアンテナをディスエーブルにすることにより、データの受信エラーを低減する。
【００４５】
図３に第１の実施形態に係る無線ＬＡＮモジュールとＢＴモジュールの構成図を示す。
【００４６】
無線ＬＡＮモジュール８内には、送受信データの変復調を行う変復調部３１及び、メインアンテナ１６、サブアンテナ１７の切り替えを行うスイッチ部３２が設けられている。通常、ダイバシティアンテナでは、メインアンテナ１６、サブアンテナ１７の利得の良い方を受信し、使用している。この際には、２〜３秒ごとにスイッチ部３２をメインアンテナ側S1とサブアンテナ側S2との切替えを行う。例えば、スイッチ部３２をメインアンテナ側S1からサブアンテナ側S２へ切替えた後、サブアンテナ１７で取得する受信信号の利得を検出し、切替え前（メインアンテナ側S１）より利得が落ちている場合はスイッチ部３２を、すぐにメインアンテナS1へ切替える。一方、切替え前より利得が得られるようであれば３秒程度スイッチ部３２はサブアンテナ側S2で受信を続ける。その２，３秒後に、スイッチをメインアンテナS1側へ切替えた後、再び利得の判断により、同様の制御を行う。
【００４７】
本実施形態では、BTモジュール２０により無線通信が行われている場合は、BTのアンテナ１９に遠い方のアンテナのみを使用するように制御する。ここでは、スイッチ部３２をメインアンテナ側S1に接続し、サブアンテナ側S2には接続を行わない。
【００４８】
続いて、図４に第１の実施形態に係るアンテナの切替え制御のフローチャートを示す。
【００４９】
ＢＴモジュール１０は、送受信を行っている場合に、制御部２０へ動作していることを示す信号を送出する（ステップS１０１）。これは例えば１ビットの信号“１”、“０”で、動作、非動作を示しても良し、２ビットで、“００”、“０１”、“１０”で、非動作、送信、受信を示すようにしても良い。
【００５０】
制御部２０は、この動作を示す信号（送信、受信も含む）を受信すると（ステップS１０２）、無線ＬＡＮモジュール８に対して、アンテナの切り替えを指示する信号を無線LANモジュール８へ送出する（ステップS１０３）。
【００５１】
無線ＬＡＮモジュール８は、制御部２０からの信号を受けると、スイッチ３２をメインアンテナ側S1に切り替える（ステップＳ１０４）。
【００５２】
以上のように、第１の実施形態では、ＢＴモジュール１０によりＢＴによる無線通信が行われている場合は、ダイバシティアンテナのＢＴアンテナに近い方のアンテナをディスエーブルにすることにより、無線ＬＡＮの受信エラーを低減することが可能である。
【００５３】
続いて、第２の実施形態について説明する。第２の実施形態では、無線LANモジュールに、BTの電波を検知可能な検知部を設け、BTの電波の影響を受けやすい方のアンテナをディスエーブルにする。
【００５４】
第２の実施形態の電子機器のハードウェア構成も上述した第１の実施形態と同様であるため、説明を省略するとともに、図１乃至図２を用いる。
【００５５】
また、図５に第２の実施形態に係る無線ＬＡＮモジュールとＢＴモジュールの構成図を示す。
【００５６】
これは、第１の実施形態で示した図３とほぼ同じであるが、変復調部３１の中にBTの信号を検出するBT信号検出部４１が設けられている。これは、メインアンテナ１６またはサブアンテナ１７により受信した信号からBTの信号が含まれているか否かを検出する。
【００５７】
続いて、図６に、無線LANとBTとの信号の周波数のスペクトル簡略図を示す。
【００５８】
図中、縦軸にパワー（利得）を示し、横軸に周波数を示す。
【００５９】
図６で、放物線上に示されている領域が、無線LANのスペクトルである。無線LANでは、上述したように２．４０００〜２．４８３５GHｚの周波数を１４チャネルに分けて用いられており、この１４チャネルの内のいずれかのチャネルを選択し、無線通信に使用して無線通信が行われる。
【００６０】
一方、棒状の斜線で示されているものがBTの信号スペクトルである。図には、数多くのスペクトルが描かれているが、便宜的に分かりやすくするために記載されており、６２５μｓ（１／１６００秒）の時間間隔の間に現れるスペクトルは一つである。
【００６１】
よって、無線LANの通信周波数とBTで使用する通信周波数とでは、周波数が重なる時間帯が生じる。このため、無線LANの通信で選択されているチャネル内に、ＢＴの信号スペクトルが生じ、無線ＬＡＮモジュールによりBTの信号を受信することがあるが、これは無線LAN側から見るとノイズ成分である。また、無線LANで通信を行う際に影響を受ける電波は、必ずしも自身が有するBTモジュールから放射されるBTの信号のみとは限らず、近接した機器から放射される無線電波による影響を受ける場合も考えられる。よって、本実施形態では、無線ＬＡＮで使用するダイバシティアンテナのいずれかのアンテナで受信した、無線AN以外の通信信号の利得を比較して、他無線通信信号から影響を受けていない（他の無線信号の利得が少ない）方のアンテナを受信アンテナとして使用する。
【００６２】
次に、図７に第２の実施形態に係るアンテナ制御のフローチャートを示す。
【００６３】
まず、スイッチ３２をメインアンテナ側S1に切替えて無線信号の受信を行う（ステップS２０１）。メインアンテナ１６を介して受信した信号から、変復調部３１に設けられたBTの信号を検出する（ステップS２０２）。次に、スイッチ３２をサブアンテナ側S2に切替えて（ステップS２０３）無線信号の受信を行う（ステップS２０４）サブアンテナ１７を介して受信した信号から、変復調部３１に設けられたBTの信号を検出する（ステップS２０５）。
メインアンテナ１６及びサブアンテナ１７で受信したBTの信号を比較し、BTの信号を検出が少ないアンテナを選択する。
【００６４】
次に第２の実施形態の変形例を図８に示す。図８は、第２の実施形態の変形例に係る無線ＬＡＮモジュールとＢＴモジュールの構成図を示す。
【００６５】
この変形例では、無線LANモジュール８のスイッチから受信した信号を信号線４２を介して、BTモジュール１０へ送信し、BTモジュール１０でBTの信号を検出し、その信号に応じて、制御部２０へ制御信号を出し、無線LANモジュール８内のスイッチ３２を切替えるものである。
【００６６】
図９に、第２の実施形態の変形例に係るアンテナ切替え制御のフローチャートを示す。
【００６７】
まず、スイッチ３２をメインアンテナ側S1に切替え、メインアンテナ１６で無線信号の受信を行う（ステップS３０１）。受信された信号は信号線４１を介して、BTモジュール１０に送信される。BTモジュール１０では、受信信号からBTの信号成分を取り出しその利得を制御部２０へ送信する（ステップS３０２）。制御部２０では、メインアンテナ１６で受信した信号のBTの信号の利得を記憶する（ステップS３０３）。
【００６８】
次に、スイッチ３２をサブアンテナS2側に切替え（ステップS３０４）、サブアンテナ１７で得られる信号を受信する（ステップS３０５）。受信された信号は信号線４１を介して、BTモジュール１０に送信される。BTモジュール１０では、受信信号からBTの信号成分を取り出しその利得を制御部２０へ送信する（ステップS３０６）。制御部２０では、制御部２０では、メインアンテナ１６で受信した信号のBTの信号の利得を記憶する（ステップS３０７）。
【００６９】
メインアンテナ１６で受信した信号の利得と、サブアンテナ１７で受信した信号の利得と比較する（ステップS３０９）。メインアンテナ１６で得られた利得がサブアンテナ１７で得られた利得より大きい場合（ステップS３０９のYES）、メインアンテナ１６で受信するBTの信号が大きいと判断し、スイッチ３２をS2側に切替える制御信号を無線LANモジュール８へ送出する（ステップS３１０）。一方、メインアンテナ１６で得られた利得がサブアンテナ１７で得られた利得より小さい場合（ステップS３０９のNO）、サブアンテナ１７で受信するBTの信号が大きいと判断し、スイッチ３２をS１側に切替える制御信号を無線LANモジュール８へ送出する（ステップS３１１）。この際のスイッチ３２の切替え信号は、１ビットの0／1の信号でよい。
【００７０】
無線LANモジュール８は、制御部２０からスイッチ３２をS2側に切替える制御信号を受信すると、スイッチ３２をS2側に切替え、サブアンテナ１７を用いて無線信号の受信を行う（ステップS３１２）。また制御部２０からスイッチ３２をS１側に切替える制御信号を受信すると、スイッチ３２をS１側に切替え、メインアンテナ１６を用いて無線信号の受信を行う（ステップS３１３）。
【００７１】
上述のように、第２の実施形態では、無線ＬＡＮで使用するダイバシティアンテナのいずれかのアンテナで受信した、無線ＬAN以外の通信信号の利得を比較して、他の無線通信信号から影響が少ない（他の無線信号の利得が少ない）方のアンテナを受信アンテナとして使用することで、無線LANで受信する信号の効率を向上することが可能である。
【００７２】
次に、第3の実施形態について説明する。
【００７３】
第３の実施形態では、時分割的に無線LANとBTの送信を切替える例である。
【００７４】
パソコンのハードウェア構成は、第１の実施形態とほぼ同一である。
【００７５】
図１０に第３の実施形態に係る無線ＬＡＮモジュールとＢＴモジュールの構成図を示す。
【００７６】
BTモジュール１０内に、BTの送信出力パワーを制御する出力制御部４５が設けられている。この出力制御部４５はBTの送信パワーを増幅減少させることが可能であり、例えばBTで定められているクラス１〜３のクラスを切替えることが可能である。
【００７７】
次に、図１１に無線LANモジュールとBTモジュールの制御フローチャートを示す。
【００７８】
まず、無線LANモジュール８が動作している状態で、無線LANモジュール８がデータパケットを送信中、または受信中であるか否か判断する（ステップS４０１）。ここでは、ビーコンフレームの受信などは含まない。ここで、無線LANモジュール８によりデータパケットが送信中であるか受信中であると判断された場合（ステップS４０１のYES）、無線LANモジュール８がパケット通信中であることを示す信号を制御部２０に送出する（ステップS４０２）。制御部２０は、無線LANが動作している旨を示す動作中信号を受けると（ステップS４０３）、BTモジュール１０へパワーを減少させる信号を送信する（ステップS４０４）。BTモジュール１０は、出力制御部４５により送信出力を減少させる制御を行う。ここでは、例えば、クラス１で送信を行っていた場合に、このパワー減少の信号を受信したことにより、クラス２へ落とすなど、クラス変更の制御を行ってもよい。
【００７９】
一方、無線LANモジュール８によりパケットの送受信が行われていない場合（ステップS４０１のNO）、BTモジュール１０は、通常のパワー出力で動作される（ステップS４０６）
【００８０】
また、この上述のBTモジュール１０の送信出力制御によりクラスを下げた上で、無線LANの受信データのエラーが多い場合は、さらにクラスを下げる制御を行っても良い。
【００８１】
また、通常送信を行っている場合も、送信出力を減少した場合も、再びステップS４０１へ戻り、出力制御処理は繰り返される。
【００８２】
図１２に、第３の実施形態に係るデータ通信のパケットの模式図を示す。
【００８３】
縦軸はパワーを示し、横軸は時間を示す。図１１を用いて説明した制御により、無線LANによる通信が行われている場合はBTの通信データの送信出力を減少させることが可能である。無線LANモジュールは受信、送信のどちらの場合でもかまわない。
【００８４】
続いて、第３の実施形態の変形例を示す。この変形例では、無線LANが動作している時は、BTモジュールの送信を停止するものである。
【００８５】
ハードウェア構成は、図１０に示したものと同様である。また、図１３に第３の実施形態の変形例に係る無線LANモジュールとBTモジュールの制御フローチャートを示す。
【００８６】
まず、無線LANモジュール８が動作している状態で、無線LANモジュール８がデータパケットを送信中、または受信中であるか否か判断する（ステップS５０１）。ここでは、ビーコンフレームの受信などは含まない。ここで、無線LANモジュール８によりデータパケットが送信中であるか受信中であると判断された場合（ステップS５０１のYES）、無線LANモジュール８がパケット通信中であることを示す信号を制御部２０に送出する（ステップS５０２）。制御部２０は、無線LANが動作している旨を示す動作中信号を受けると（ステップS５０３）、BTモジュール１０へ送信を停止させる信号を送信する（ステップS５０４）。制御部２０から、この信号受信したBTモジュール１０は、データの送信を停止する。
【００８７】
一方、無線LANモジュール８が使用されていない場合（ステップS５０１のNO）、BTモジュール１０は、通常のパワー出力で動作される（ステップS５０６）
【００８８】
これは、送信を行っている場合も、送信停止した場合も、再びステップS５０１へ戻り、処理は繰り返される。
【００８９】
図１４に、第３の実施形態の変形例に係るデータ通信のパケットの模式図を示す。
【００９０】
縦軸はパワーを示し、横軸は時間を示す。図１２を用いて説明した制御により、無線LANによる通信が行われている場合はBTモジュールは送信を停止する。無線LANの通信が行われていない場合は、BTにより通信を行う。無線LANモジュールの通信データは受信、送信のどちらの場合でもかまわない。
【００９１】
以上、述べたように第３の実施形態では、無線LANモジュール使用中には、BTの送信出力を下げるまたは送信を停止することで、無線LANモジュール８の受信データで、BTの通信データからの干渉を減少することが可能である。
【００９２】
続いて、第４の実施形態について説明する。第４の実施形態では、無線ＬＡＮの使用しているチャネルをＢＴモジュールが使用しないことで、無線ＬＡＮへの干渉を少なくする例である。図１５に第４の実施形態に係る無線ＬＡＮモジュールとＢＴモジュールの構成図を示す。
【００９３】
無線ＬＡＮモジュール８とBTモジュール１０とはシリアル信号線５１により接続されている。このシリアル信号線５１は、無線ＬＡＮモジュール８とＢＴモジュールとの間での状態の情報（送受信を行っているか）や、制御情報を送受信する。
【００９４】
次に、図１６に第４の実施形態に係る無線LANモジュールとBTモジュールの制御フローチャートを示す。
【００９５】
まず、無線LANモジュール８が動作している状態を考える。ＢＴモジュール１０が送信を開始する場合（ステップＳ６０１）、シリアル信号線５１を介して無線ＬＡＮモジュール８に送信開始する旨通知する（ステップＳ６０２）。
【００９６】
ＢＴモジュール１０の送信開始の信号を受信した無線ＬＡＮモジュール８は、現在使用中であるチャネル番号をＢＴモジュール１０へ通知する（ステップＳ６０３）。
【００９７】
ＢＴモジュール１０は、無線ＬＡＮモジュール８が現在使用中であるチャネル番号の情報に基づき、無線ＬＡＮモジュール８が使用中である無線周波数帯を排除して無線通信を行う。例えば無線ＬＡＮモジュール８が２．４２７ＧＨｚを中心とする２．４１６〜２．４３８ＧＨｚを使用している場合、ＢＴモジュール１０は、この２．４１６〜２．４３８ＧＨｚの周波数帯を除いた周波数を使用して、周波数ホッピングを行う。
【００９８】
次に、BTモジュールが通信状態で、無線LANが通信を開始する場合について、図１７を用いて説明する。図１７に第４の実施形態に係る無線LANモジュールとBTモジュールの制御フローチャートを示す。
【００９９】
まず、BTモジュール１０は通信を行っている状態とする（ステップS７０１）。この状態で、無線LANが通信を開始した場合（ステップS７０２のYES）、無線LANモジュール８が通信に使用するチャネルを、シリアル信号線５１を介してＢＴモジュール１０へ通知する（ステップＳ７０３）。
【０１００】
BTモジュール１０は、無線ＬＡＮモジュール８が使用するチャネル番号の情報に基づき、無線ＬＡＮモジュール８が使用する無線周波数帯を排除する無線通信に切替える（ステップS７０４）。例えば無線ＬＡＮモジュール８が２．４２７ＧＨｚを中心とする２．４１６〜２．４３８ＧＨｚを使用している場合、ＢＴモジュール１０は、この２．４１６〜２．４３８ＧＨｚの周波数帯を除いた周波数を使用して、周波数ホッピングを行う。
【０１０１】
図１８に第４の実施形態に係る無線LANとBTとの信号の周波数のスペクトル簡略図を示す。図に示すように、無線ＬＡＮモジュール８が使用する周波数スペクトルの範囲は、ＢＴモジュール１０はホッピングを行わず、無線ＬＡＮチャネルを除いた帯域で周波数ホッピングを行う。
【０１０２】
また上記では、無線ＬＡＮモジュール８とＢＴモジュール１０とを接続する信号線としてシリアル信号線を用いたが、これに限定されるものではなく、パラレルの信号線でもかまわない。
【０１０３】
以上、第４の実施形態では、無線ＬＡＮモジュールが使用する周波数帯を除いて、ＢＴモジュールが通信を行うことにより、無線ＬＡＮで使用する周波数と干渉することを低減可能であり、無線LANモジュール８とBTモジュール１０との通信データの干渉を低減することが可能である。
【０１０４】
以上詳述したように本発明では、無線通信機能を有する電子機器において、無線通信による送受信信号を、他の無線信号からの干渉を低下させ、データの信頼性を高めることが可能な電子機器を提供することが可能である。
【０１０５】
本願発明は、上述の実施形態に限定されるものではなく、実施段階ではその要旨を逸脱しない範囲において種々に変形可能である。また、上述した複数の実施形態の組み合わせも可能である。
【０１０６】
【発明の効果】
以上詳述した発明によれば、無線通信機能を有する電子機器において、無線通信による送受信信号を、他の無線信号からの干渉を低下させ、データの信頼性を高めることが可能な電子機器を提供することが可能である。
【図面の簡単な説明】
【図１】第１の実施形態に係る電子機器のハードウェア構成図。
【図２】第１の実施形態に係る電子機器の外観の斜視図。
【図３】第１の実施形態に係る無線ＬＡＮモジュールとＢＴモジュールの構成図。
【図４】第１の実施形態に係るアンテナの切替え制御のフローチャート。
【図５】第２の実施形態に係る無線ＬＡＮモジュールとＢＴモジュールの構成図。
【図６】無線LANとBTとの信号の周波数のスペクトル簡略図。
【図７】第２の実施形態に係るアンテナ制御のフローチャート。
【図８】第２の実施形態の変形例に係る無線ＬＡＮモジュールとＢＴモジュールの構成図。
【図９】第２の実施形態の変形例に係るアンテナ切替え制御のフローチャート。
【図１０】第３の実施形態に係る無線ＬＡＮモジュールとＢＴモジュールの構成図。
【図１１】第１の実施形態に係る電子機器のハードウェア構成図。
【図１２】第３の実施形態に係るデータ通信のパケットの模式図。
【図１３】第３の実施形態の変形例に係る無線LANモジュールとBTモジュールの制御フローチャート。
【図１４】第３の実施形態の変形例に係るデータ通信のパケットの模式図。
【図１５】第４の実施形態に係る無線ＬＡＮモジュールとＢＴモジュールの構成図。
【図１６】第４の実施形態に係る無線LANモジュールとBTモジュールの制御フローチャート。
【図１７】第４の実施形態に係る無線LANモジュールとBTモジュールの制御フローチャート。
【図１８】第４の実施形態の変形例に係る無線LANとBTとの信号の周波数のスペクトル簡略図。
【符号の説明】
１…パソコン
３…ＣＰＵ
４…第１のブリッジ回路
５…メインメモリ
６…第２のブリッジ回路
７…第１のバス
８…無線ＬＡＮモジュール
１０…ブルートゥースモジュール
１６…メインアンテナ
１７…サブアンテナ
１９…ブルートゥースアンテナ
２０…制御部
２１…本体ケース
２２…表示部ケース
２３…ＬＣＤパネル
２４…キーボード
２５…ヒンジ部
３１…変復調部
３２…スイッチ部
４１…ブルートゥース信号検出部
４５…出力制御部
５１…信号線
【図１】
0004245311.tif 000002
【図２】
0004245311.tif 000003
【図３】
0004245311.tif 000004
【図４】
0004245311.tif 000005
【図５】
0004245311.tif 000006
【図６】
0004245311.tif 000007
【図７】
0004245311.tif 000008
【図８】
0004245311.tif 000009
【図９】
0004245311.tif 000010
【図１０】
0004245311.tif 000011
【図１１】
0004245311.tif 000012
【図１２】
0004245311.tif 000013
【図１３】
0004245311.tif 000014
【図１４】
0004245311.tif 000015
【図１５】
0004245311.tif 000016
【図１６】
0004245311.tif 000017
【図１７】
0004245311.tif 000018
【図１８】
0004245311.tif 000019